(57)【要約】【課題】インバータ式安定器に取り付けた場合に、高電圧が発生するのを確実に防止して漏電を防止できるとともに、万一、ＬＥＤ電圧が異常上昇しても、ＬＥＤに過大な電力が印加されず異常発熱の心配がない蛍光灯型ＬＥＤランプを提供する。【解決手段】蛍光灯型ＬＥＤランプ１０を、ＬＥＤ１６と、当該ＬＥＤ１６に対して並列に接続されており、規定の値を超える電圧が印加された場合に導通状態になるトリガ素子２８で構成することにより、上記課題を解決できる。【選択図】図１
2014107040.tif 000002
【特許請求の範囲】
【請求項１】
インバータ式安定器を備えた蛍光灯器具に直接取り付けることのできる蛍光灯型ＬＥＤランプであって、
ＬＥＤと、
前記ＬＥＤに対して並列に接続されており、規定の値を超える電圧が印加された場合に導通状態になるトリガ素子とを備える蛍光灯型ＬＥＤランプ。
【請求項２】
前記ＬＥＤに給電する整流回路をさらに備えており、
前記トリガ素子は、前記整流回路の一次側に接続されていることを特徴とする請求項１に記載の蛍光灯型ＬＥＤランプ。
【請求項３】
前記ＬＥＤに給電する整流回路と、
前記蛍光灯型ＬＥＤランプの一方の端に設けられた一対の第１端子および他方の端に設けられた一対の第２端子と、
前記一対の第１端子同士を互いに接続する第１端子接続線と、
前記一対の第２端子同士を互いに接続する第２端子接続線とをさらに備えており、
前記整流回路の一次側線は、前記第１端子接続線および前記第２端子接続線にそれぞれ接続されており、
前記トリガ素子の一端は前記第１端子接続線に接続されており、
前記トリガ素子の他端は前記第２端子接続線に接続されていることを特徴とする請求項１に記載の蛍光灯型ＬＥＤランプ。
【請求項４】
前記トリガ素子はダイアックであることを特徴とする請求項１から３のいずれかに記載の蛍光灯型ＬＥＤランプ。
【請求項５】
前記トリガ素子はサイダックであることを特徴とする請求項１から３のいずれかに記載の蛍光灯型ＬＥＤランプ。
【発明の詳細な説明】
【技術分野】
【０００１】
本発明は、蛍光灯器具のインバータ式安定器に直接取り付けることのできる蛍光灯型ＬＥＤランプに関する。
【背景技術】
【０００２】
従来の電球に比べて、消費電力が低く、かつ、長寿命といった長所を有する発光ダイオード（以下、「ＬＥＤ」という。）は、需要者のエコロジー意識の高まりとともに、省エネ対策のひとつとしてその使用範囲が急速に広まっており、白熱電球の代替としてＬＥＤを使用することは一般的になりつつある。このような傾向は、白熱電球よりも効率の良い蛍光灯にも及んできており、従来の蛍光灯の代替えとしてＬＥＤを使用したいというニーズが高まってきている。
【０００３】
蛍光灯はその内部の両端に設けられた電極を加熱して同電極間に放電を生じさせることによって発光することから、同電極間に高電圧パルスを印加する安定器が必要となる。この安定器は、通常、蛍光管の取付器具内に収容されており、寿命が尽きた蛍光管を交換する場合であっても、安定器はそのまま継続使用できるようになっている。
【０００４】
一方、ＬＥＤを点灯させる際には、上述のような高電圧パルスは必要でなく、個々のＬＥＤが有する数Ｖから数十Ｖの順方向降下電圧よりも高い電圧を印加させて、所定の電流を流すだけでよい。このため、既存の取付器具に取り付けることのできる蛍光灯型ＬＥＤランプを設計する場合には、ＬＥＤが断線した場合等に安定器から高電圧パルスが供給されることによって、過熱や漏電が発生するのを防止する必要があった。
【０００５】
このような高電圧パルス対策の一例として、特許文献１には、蛍光灯型ＬＥＤランプの両端に設けられた端子間にグロースタータ型安定器からの高電圧パルスを吸収するための逆電圧保護回路を設ける技術が開示されている。特許文献１では、この逆電圧保護回路として、コンデンサおよび抵抗を直列に接続したＣＲ回路が用いられている。
【０００６】
また、特許文献２には、インバータ式安定器を備えた蛍光管取付器具に用いられる蛍光灯型ＬＥＤランプが記載されており、整流ユニットやＬＥＤに対して並列にコンデンサを接続し、このコンデンサでインバータ式安定器における共振回路の共振周波数を変化させる（ずらす）ことによって電圧ピークになる周波数を避けて、高電圧の発生を防止するようになっている。
【０００７】
さらに、特許文献３に開示された蛍光灯型ＬＥＤランプは、ＬＥＤモジュールを内蔵し、かつ、既存の蛍光管取付器具における蛍光灯ソケットに差し込み接続可能なピン端子を両端部にそれぞれ２本ずつ備えている。さらに、この蛍光灯型ＬＥＤランプは、一端部に設けられた２本のピン端子に交流入力が接続された第１の整流回路と、他端部に設けられた２本のピン端子に交流入力が接続された第２の整流回路と、第１の整流回路および第２の整流回路の共通の直流出力側にＬＥＤモジュールと共に接続された電圧制御回路と、この電圧制御回路に対して直列に接続された保護回路とを備える電源回路が組み込まれており、電源回路から給電されることによってＬＥＤモジュールが点灯するようになっている。
【先行技術文献】
【特許文献】
【０００８】
【特許文献１】特開２００６−１０００３６号公報
【特許文献２】特開２０１２−１０４４６６号公報
【特許文献３】特開２０１１−１２９３２３号公報
【発明の概要】
【発明が解決しようとする課題】
【０００９】
しかしながら、インバータ式安定器を備えた蛍光管取付器具に取り付けることを前提とする場合、上記特許文献１から３に開示された蛍光灯型ＬＥＤランプでは不具合が生じるおそれがあった。
【００１０】
一般に、インバータ式安定器を備えたインバータ型蛍光灯器具１は、図４に示すように、整流回路やノイズフィルタ等で構成される入力回路２と、２つのスイッチング素子Ｑ１、Ｑ２を有するハーフブリッジ回路３と、スイッチング素子Ｑ１、Ｑ２を高周波でオン・オフさせる発振回路４と、コンデンサおよびコイルを直列接続したＬＣ回路５と、端子間の過電圧あるいは負荷の短絡・開放状態を検出して発振回路４の発振を停止させる保護回路６と、一対の端子Ａ１、Ａ２を有する第１の端子対７と、一対の端子Ｂ１、Ｂ２を有する第２の端子対８と、第１の端子対７における１の端子Ａ２、および、第２の端子対８における１の端子Ｂ２の間に設けられた共振コンデンサ９とで構成されている。
【００１１】
第１の端子対７および第２の端子対８に、蛍光灯Ｌの両端にそれぞれ一対ずつ設けられた蛍光灯端子ａ１、ａ２、ｂ１、ｂ２を接続することにより、蛍光灯Ｌの内部に設けられた一対のフィラメントＦ１、Ｆ２を介して、Ａ１、ａ１、Ｆ１、ａ２、Ａ２、９、Ｂ２、ｂ２、Ｆ２、ｂ１、Ｂ１の順に直列回路が成立する。
【００１２】
このインバータ型蛍光灯器具１に蛍光灯Ｌを取り付け、入力回路２を交流電源Ｓに接続すると、ＬＣ回路５のコンデンサおよびコイルと共振コンデンサ９とがフィラメントＦ１を介して直列に接続されて形成された直列共振回路により、フィラメントＦ１とフィラメントＦ２との間に高電圧が発生して放電が開始され、蛍光灯Ｌが点灯する。放電が開始された後は、フィラメントＦ１、Ｆ２間に規定の定電流が流れるようになり、バイパスされた共振コンデンサ９には電流が流れなくなる。
【００１３】
フィラメントＦ１、Ｆ２のエミッション材が消耗して蛍光灯Ｌが寿命末期になると、フィラメントＦ１、Ｆ２間のインピーダンスが高くなり、同フィラメントＦ１、Ｆ２間の電圧が異常上昇する。上述のように、フィラメントＦ１、Ｆ２間には定電流が流れることから、電圧が高くなると過大な電力が蛍光灯Ｌに付加されることになり、保護回路６がフィラメントＦ１、Ｆ２間の過電圧を検出して、２つのスイッチング素子Ｑ１、Ｑ２による発振を停止させる。
【００１４】
以上が、インバータ式蛍光灯器具１に従来の蛍光灯Ｌを取り付けたときの動作である。
【００１５】
従来の蛍光灯Ｌに変えて蛍光灯型ＬＥＤランプをインバータ型蛍光灯器具１に取り付ける場合、省エネの目的により、ＬＥＤに印加する電圧は、蛍光灯Ｌに印加する電圧（つまり、フィラメントＦ１、Ｆ２間の電圧）よりも低く選択するのが通常である。このため、蛍光灯Ｌの過電圧の検知を目的とする保護回路６の検出電圧設定が高すぎて、ＬＥＤの過電圧を検出するのがむずかしく、このままでは保護回路６がＬＥＤを保護しにくいという問題があった。
【００１６】
加えて、インバータ式安定器は、ランプ始動時において、負荷のインピーダンスが高い状態（すなわち、蛍光灯と同等の状態）でないと、インバータ自身が有している保護回路６が作動して動作しないことから、蛍光灯型ＬＥＤランプが点灯しないおそれがある。例えば、特許文献１の蛍光灯型ＬＥＤランプでは、ＣＲ回路のインピーダンスによってインバータ式安定器の共振回路に設定された共振がずれてしまうことにより、インバータ自身が有している保護回路６が作動してＬＥＤランプが点灯しないおそれがある。
【００１７】
また、特許文献２の蛍光灯型ＬＥＤランプでは、高電圧の発生を防止できるか否かがインバータ式安定器の共振回路の定数に依存することからその効果は安定的ではなく、加えて、特許文献１の場合と同様に、共振がずれてしまうことによって保護回路６が作動し、ＬＥＤランプが点灯しないおそれがある。
【００１８】
さらに、特許文献３の蛍光灯型ＬＥＤランプが有している保護回路は、過電流の保護（ヒューズ）と過熱の保護（サーミスタ）だけであり、高電圧発生に対する保護については何ら記載されていない。
【００１９】
また、インバータ式安定器の場合、蛍光灯Ｌが点灯しなくなると蛍光灯Ｌの両端に高電圧が印加することになる。蛍光灯Ｌは、このような高電圧が印加されても絶縁構造上問題ないが、ＬＥＤの場合は、ＬＥＤ素子に放熱用のヒートシンクを取り付けることが多く、インバータ式安定器から発生する高電圧に対する絶縁対策は容易ではないことから、最悪の場合、高電圧が当該ヒートシンクにリークする危険性がある。
【００２０】
本発明は、このような従来技術の問題点に鑑みて開発されたものである。それゆえに本発明の主たる課題は、インバータ式安定器に取り付けた場合に、高電圧が発生するのを確実に防止して漏電を防止できるとともに、万一、ＬＥＤ電圧が異常上昇しても、ＬＥＤに過大な電力が印加されず異常発熱の心配がない蛍光灯型ＬＥＤランプを提供することにある。
【課題を解決するための手段】
【００２１】
請求項１に記載した発明は、インバータ式安定器を備えた蛍光灯器具に直接取り付けることのできる蛍光灯型ＬＥＤランプであって、ＬＥＤと、当該ＬＥＤに対して並列に接続されており、規定の値を超える電圧が印加された場合に導通状態になるトリガ素子とを備える蛍光灯型ＬＥＤランプである。
【００２２】
蛍光灯型ＬＥＤランプを上記のように構成することにより、ＬＥＤが破損・損耗するなどしてＬＥＤ電圧が異常上昇しはじめたとき、トリガ素子が導通状態となり、並列に接続されたＬＥＤを短絡させることができる。ＬＥＤを短絡させることにより、インバータ式安定器が異常を検知してその動作を停止させるので、ＬＥＤに高電圧が印加されたままの状態を回避できる。
【００２３】
請求項２に記載した発明は、請求項１に記載の蛍光灯型ＬＥＤランプをさらに限定したものであって、ＬＥＤに給電する整流回路をさらに備えており、トリガ素子は、当該整流回路の一次側に接続されていることを特徴とする。
【００２４】
何らかの不具合に起因して整流回路が切断状態になった場合、高電圧が整流回路に印加されることになる。しかし、上記のように、トリガ素子をＬＥＤに対して並列、かつ、整流回路の一次側に接続することで、整流回路に印加される電圧が上昇した場合にトリガ素子が導通状態となってＬＥＤおよび整流回路を短絡させることができ、これによりインバータ式安定器が異常を検知してその動作を停止させるので、整流回路に高電圧が印加されるのを回避できる。
【００２５】
請求項３に記載した発明は、請求項１または２に記載の蛍光灯型ＬＥＤランプをさらに限定したものであって、蛍光灯型ＬＥＤランプの一方の端に設けられた一対の第１端子と、他方の端に設けられた一対の第２端子と、一対の第１端子同士を互いに接続する第１端子接続線と、一対の第２端子同士を互いに接続する第２端子接続線とをさらに備えており、整流回路の一次側線は、第１端子接続線および第２端子接続線にそれぞれ接続されており、トリガ素子の一端は第１端子接続線に接続されており、トリガ素子の他端は第２端子接続線に接続されていることを特徴とする。
【００２６】
これによれば、トリガ素子が蛍光灯型ＬＥＤランプの第１端子および第２端子間を短絡できるので、ＬＥＤや整流回路に限られず、蛍光灯型ＬＥＤランプ内におけるいずれの位置で断線等の不具合が生じたとしても、第１端子および第２端子間に高電圧が印加されるのを回避することができる。
【００２７】
請求項４に記載した発明は、請求項１から３のいずれかに記載された蛍光灯型ＬＥＤランプであって、トリガ素子はダイアックであることを特徴とする。
【００２８】
請求項５に記載した発明は、請求項１から３のいずれかに記載された蛍光灯型ＬＥＤランプであって、トリガ素子はサイダックであることを特徴とする。
【発明の効果】
【００２９】
本発明によれば、インバータ式安定器に取り付けた場合に、万一、ＬＥＤ電圧が異常上昇しても、蛍光灯型ＬＥＤランプに過大な電力が供給されないので蛍光灯型ＬＥＤランプの異常発熱を防止できるとともに、蛍光灯型ＬＥＤランプ内の回路が不具合等により開放状態になったとしても、蛍光灯型ＬＥＤランプに過大な電圧が印加されず漏電の心配がない。
【図面の簡単な説明】
【００３０】
【図１】本発明が適用された、第１実施例に係る蛍光灯型ＬＥＤランプ、および蛍光灯器具に設けられたインバータ式安定器を示す回路図である。
【図２】第２実施例に係る蛍光灯型ＬＥＤランプを示す回路図である。
【図３】第３実施例に係る蛍光灯型ＬＥＤランプを示す回路図である。
【図４】従来の蛍光灯およびそれに給電するインバータ式安定器を示す回路図である。
【発明を実施するための形態】
【００３１】
以下、本発明が適用された実施例について、図面を用いて説明する。図１は、本発明が適用された実施例の蛍光灯型ＬＥＤランプ１０および蛍光灯器具１２に設けられたインバータ式安定器１４を示している。
【００３２】
なお、本明細書では、各部材の符号に関し、同一種類の部材が複数個使用されている場合において、上位概念で示す場合にはアルファベットの枝番をつけずアラビア数字のみで示し、個別に区別する必要がある場合（すなわち下位概念で示す場合）には、アルファベット小文字の枝番をアラビア数字に付して区別する。
【００３３】
蛍光灯型ＬＥＤランプ１０は、ＬＥＤ１６と、整流回路１８と、一対の第１端子２０ａ、２０ｂと、一対の第２端子２２ａ、２２ｂと、第１端子接続線２４と、第２端子接続線２６と、抵抗２７と、トリガ素子２８とを備えている。
【００３４】
ＬＥＤ１６は、順方向降下電圧以上の電圧を順方向に印加して所定の電流を流すことによって光を出す半導体である。本実施例では、１つのＬＥＤ１６を用いているが、もちろんＬＥＤ１６の数に制限はなく、複数のＬＥＤ１６を用いることも可能である。
【００３５】
整流回路１８は、ＬＥＤ１６に直流を給電するための回路であり、全波整流回路や半波回路といった公知の整流回路を用いることができる。本実施例では、ダイオードを４つ組み合わせたダイオードブリッジの全波整流回路が用いられている。高周波電流を整流するため、高速ダイオードを用いるのが好適である。さらに言えば、万一の場合に備えて耐電圧の高い高圧ダイオードを用いるのが好ましいが、後述するように、実施例の回路では、トリガ素子２８が機能することにより高電圧が印加されるのを回避できるので、高圧ダイオードの使用は必須ではない。
【００３６】
この整流回路１８の一次側には、一対の入力線３０が延びており、また、二次側には一対の出力線３２が延びている。一方の出力線３２ａには、ＬＥＤ１６の一方端（実施例では、アノード側）１６ａが接続されており、他方の出力線３２ｂには、ＬＥＤ１６の他方端（実施例では、カソード側）１６ｂが接続されている。
【００３７】
一対の第１端子２０ａ、２０ｂは、蛍光灯型ＬＥＤランプ１０の一方の端に設けられたピン状の端子であり、既存の蛍光灯器具１２に接続させることのできる形状に形成されている。また、一対の第２端子２２ａ、２２ｂは、第１端子２０ａ、２０ｂとは反対側にある、他方の端に設けられたピン状の端子である。
【００３８】
第１端子接続線２４は、一対の第１端子２０ａ、２０ｂを互いに電気的に接続する線材である。また、第２端子接続線２６は、一対の第１端子２２ａ、２２ｂを互いに電気的に接続する線材である。なお、本明細書にいう「線」とは、いわゆる「線材」に限られるものではなく、プリント基板にプリントされた回路なども含む概念である。
【００３９】
抵抗２７は、必要に応じて、第１端子接続線２４や第２端子接続線２６に取り付けられ、点灯開始時に、蛍光灯におけるフィラメントの役割を果たす電気的抵抗である。本実施例では、４つの抵抗２７ａ、２７ｂ、２７ｃおよび２７ｄが用いられており、抵抗２７ａ、２７ｂが第１端子接続線２４において直列に取り付けられており、抵抗２７ｃ、２７ｄが第２端子接続線２６において直列に取り付けられている。各抵抗２７ａ、２７ｂ、２７ｃ、２７ｄの抵抗値は、蛍光灯のフィラメントの抵抗値と同等の数Ω程度が適切である。前述した、整流回路１８における一対の入力線３０は、第１端子接続線２４における抵抗２７ａと抵抗２７ｂとの間、および、第２端子接続線２６における抵抗２７ｃと抵抗２７ｄとの間にそれぞれ接続されている。これにより、抵抗２７が第１端子２０および第２端子２２をそれぞれインピーダンス結合するインピーダンス回路を構成する。
【００４０】
トリガ素子２８は、普段は非導通状態にあって、規定の値を超える電圧が印加された場合に導通状体になる半導体素子であり、例えば、ダイアックやサイダックを挙げることができる。「規定の値」とは、トリガ素子２８のブレークダウン電圧値を意味するが、このブレークダウン電圧値は、通常点灯時においてＬＥＤ１６の電圧（順方向降下電圧）よりもやや高い目に設定される。
【００４１】
トリガ素子２８は、ＬＥＤ１６に対して並列に接続される必要があり、本実施例では、ＬＥＤ１６と整流回路１８との間、すなわち、整流回路１８から延びる一対の出力線３２の間に接続されている。
【００４２】
次に、インバータ式安定器１４の構成について簡単に説明する。インバータ式安定器１４は、整流回路やノイズフィルタ等で構成される入力回路５０と、２つのスイッチング素子５２ａ、５２ｂを有するハーフブリッジ回路５４と、スイッチング素子５２ａ、５２ｂを高周波でオン・オフさせる発振回路５６と、コンデンサおよびコイルを直列接続したＬＣ回路５８と、端子間の過電圧を検出して発振回路５６の発振を停止させる保護回路６０と、一対の端子６２ａ、６２ｂを有する第１の端子対６４と、一対の端子６６ａ、６６ｂを有する第２の端子対６８と、第１の端子対６４における１の端子６２ｂと、第２の端子対６８における１の端子６６ｂとの間に設けられた共振コンデンサ７０とで構成されている。
【００４３】
本実施例の蛍光灯型ＬＥＤランプ１０を蛍光灯器具１２に取り付けた後（すなわち、蛍光灯型ＬＥＤランプ１０における第１端子２０および第２端子２２と、インバータ式安定器１４における第１の端子対６４および第２の端子対６８とを互いに接続させた後）、交流電源７２から、インバータ式安定器１４の入力回路５０に交流を入力する。交流を入力した直後はＬＥＤ１６のインピーダンスが高いことから、インバータ式安定器１４の出力電流は、整流回路１８の方には流れずに、インバータ式安定器１４の共振コンデンサ７０に流れることによって、インバータ式安定器１４が動作を開始する。すると、整流回路１８の入力線３０側の電位が上昇し始め、この電位がＬＥＤ１６の順方向降下電圧を超えると、整流回路１８を介してＬＥＤ１６に電流が流れはじめ、共振コンデンサ７０の方には流れなくなる。ＬＥＤ１６に電流が流れはじめると、ＬＥＤ１６の電圧で制限されて定格の定電流がＬＥＤ１６に流れて、ＬＥＤ１６が点灯する。
【００４４】
その後、点灯中において、ＬＥＤ１６が切断状態するなどしてインバータ式安定器１４からの供給電圧が異常上昇しはじめたとき、供給電圧がトリガ素子２８のブレークダウン電圧値よりも高くなると、トリガ素子２８が作動してＬＥＤ１６を短絡させる。このようにＬＥＤ１６を短絡させることにより、保護回路６０が働いてインバータ式安定器１４がその動作を停止する。
【００４５】
インバータ式安定器１４の動作が停止すると、トリガ素子２８への供給電圧がゼロになるので、トリガ素子２８は再び切断状態になる。その後、インバータ式安定器１４が再び動作を開始して、上記の順によりトリガ素子２８が作動する。ＬＥＤ１６に印加される電圧が高くなるたび（すなわち、ＬＥＤ１６に対して並列に接続されたトリガ素子２８に印加される電圧がブレークダウン電圧値よりも高くなるたび）この動作が繰り返される。
【００４６】
このように、インバータ式安定器１４からの供給電圧が異常上昇しはじめても、トリガ素子２８の動作により、蛍光灯型ＬＥＤランプ１０における第１端子２０と第２端子２２との間の電圧はトリガ素子２８のブレークダウン電圧までしか上昇しないことから、蛍光灯型ＬＥＤランプ１０に発熱や漏電を生じさせるような高電圧が発生するのを避けることができる。
【００４７】
また、トリガ素子２８は、非作動時（切断状態）におけるインピーダンスが高いことから、インバータ式安定器１４の共振回路（ＬＣ回路５８および共振コンデンサ７０）の共振周波数をずらすといった影響を与えないので、負荷インピーダンスに対する保護がかかってインバータ式安定器１４が動作しないといった誤動作の心配がない。
【００４８】
さらに言えば、ＬＥＤ１６が断線した場合のように、異常な状態が自動的に復旧しない場合、インバータ式安定器１４が再び動作しようとしても、トリガ素子２８が再び動作することによってインバータ式安定器１４の保護回路６０が動作する。つまり、蛍光灯型ＬＥＤランプ１０に高電圧がかからない状態が維持されるので、例えば、蛍光灯型ＬＥＤランプ１０を、工場の天井等のように簡単に交換できずある程度の期間放置しなければならないような位置にも安心して使用することができる。
【００４９】
本実施例によれば、高周波で点灯させる蛍光灯器具１２のインバータ式安定器１４に直接取り付けても、インバータ式安定器１４の安定な動作を維持しつつ、高圧の発生を確実に防止するとともに、ＬＥＤ１６（蛍光灯型ＬＥＤランプ１０）に過大な電力が印加されるのを防止できる蛍光灯型ＬＥＤランプ１０を提供することができる。
【００５０】
第２実施例を図２に示す。上記実施例と第２実施例との違いは、トリガ素子２８が整流回路１８の一次側（入力側）に接続されている点にある。より具体的に言えば、トリガ素子２８の一端が整流回路１８における一方の入力線３０ａに接続され、トリガ素子２８の他端が他方の入力線３０ｂに接続されている。
【００５１】
何らかの不具合に起因して整流回路１８が切断状態になった場合（例えば、整流回路１８を構成するいずれかのダイオードが開放状態になった場合）に、高電圧が整流回路１８に印加されることになる。しかし、この第２実施例のように、トリガ素子２８をＬＥＤ１６に対して並列、かつ、整流回路１８の一次側に接続することで、整流回路１８に印加される電圧が上昇した場合にトリガ素子２８が導通状態となってＬＥＤ１６および整流回路１８を短絡させることができ、これによりインバータ式安定器１４が異常を検知してその動作を停止させるので、整流回路１８に高電圧が印加されるのを回避できる。
【００５２】
また、図３に示す第３実施例では、トリガ素子２８を第１端子接続線２４と第２端子接続線２６との間に取り付けている。より具体的に言えば、インバータ式安定器１４の共振コンデンサ７０に接続される第１端子２０ｂの近傍において、トリガ素子２８の一端が第１端子接続線２４に接続されており、共振コンデンサ７０に接続される第２端子２２ｂの近傍において、トリガ素子２８の他端が第２端子接続線２６に接続されている。もちろん、トリガ素子２８の一端を、共振コンデンサ７０に接続される方とは逆の第１端子２０ａの近傍における第１端子接続線２４に接続してもよいし、トリガ素子２８の他端を、共振コンデンサ７０に接続される方とは逆の第２端子２２ａの近傍における第２端子接続線２６に接続してもよい。
【００５３】
第３実施例によれば、トリガ素子２８が蛍光灯型ＬＥＤランプ１０の第１端子２０および第２端子２２間を短絡できるので、ＬＥＤ１６や整流回路１８だけでなく、蛍光灯型ＬＥＤランプ１０内におけるいずれの位置で断線等の不具合が生じたとしても、第１端子２０および第２端子２２間に高電圧が印加されるのを回避することができる。
【符号の説明】
【００５４】
１０…蛍光灯型ＬＥＤランプ、１２…蛍光灯器具、１４…インバータ式安定器、１６…ＬＥＤ、１８…整流回路、２０…第１端子、２２…第２端子、２４…第１端子接続線、２６…第２端子接続線、２７…抵抗、２８…トリガ素子、３０…入力線、３２…出力線、５０…入力回路、５２…スイッチング素子、５４…ハーフブリッジ回路、５６…発振回路、５８…ＬＣ回路、６０…保護回路、６２…端子、６４…第１の端子対、６６…端子、６８…第２の端子対、７０…共振コンデンサ、７２…交流電源
【図１】
2014107040.tif 000003
【図２】
2014107040.tif 000004
【図３】
2014107040.tif 000005
【図４】
2014107040.tif 000006